(57)【要約】      （修正有）【課題】広範囲に亘る下肢の静脈瘤の進行を抑え長時間の着用にも快適で苦痛の少ないサポーターの提供。【解決手段】下肢に発生した下腿から大腿にかけての広範囲の静脈瘤サポーターであって伸縮性に優れた素材を利用した踵のついていない筒状のサポーターである。収縮時のサイズは一端側開口の直径が４〜１０ｃｍ、他の端側開口の直径が７〜１４ｃｍ、長さが３０〜９０ｃｍのサポーターである。装着時の長さは足の太さにより個人差がある。【選択図】図１
0003115247.tif 000002
【実用新案登録請求の範囲】
【請求項１】
下肢に発生した下腿から大腿にかけての広範囲の静脈瘤サポーターであって、伸縮性に優れた素材を利用した踵のついていない筒状のサポーターである。
収縮時のサイズは一端側開口の直径が４〜１０ｃｍ、他の端側開口の直径が７〜１４ｃｍ、長さが３０〜９０ｃｍのサポーターである。
装着時の長さは足の太さにより個人差がある。
【請求項２】
サポーターの一端側開口端（下部）は折り込みがないのを特徴とし、他の端側開口端は幅２〜５ｃｍのゴム製品にてサポーターの押えとする。
請求項１に記載のサポーター。
【考案の詳細な説明】
【技術分野】
【０００１】  本考案は下腿から大腿にかけて発生した静脈瘤に対してのサポーターである。
【背景技術】
【０００２】  従来の静脈瘤を抑えるサポーターはパンティストッキング型、踵のついたストッキング型、又、部分的に圧迫するサポーターである。
【考案の開示】
【考案が解決しようとする課題】
【０００３】  パンティストッキング型は片足のみに発生の多い静脈瘤に対して両足、腰に至るまで締めつけがきつく、長時間の着用に苦痛を伴う。
又、踵のついているストッキング型は、大腿に至る静脈瘤に対して抑制が困難である。よって広範囲の静脈瘤に対し、長時間の着用にも快適で苦痛の少ない且つ抑えの効いた伸縮性に富んだサポーターを考案した。
【課題を解決するための手段】
【０００４】  本考案は下肢に発生した下腿から大腿にかけての静脈瘤サポーターであって、伸縮性に優れた素材を利用した踵のついていない筒状のサポーターである。収縮時のサイズは一端側開口の直径が４〜１０ｃｍ、他の端側開口の直径が７〜１４ｃｍ、長さが３０〜９０ｃｍのサポーターである。装着時の長さは足の太さにより個人差がある。
【考案の効果】
【０００５】  上述したように本考案のサポーターは踵はつけずに伸縮に優れた素材を利用する事により、各々個人に合った抑えを調整する事が出来、長時間の着用にも快適で疲れを軽減する効果がある。
【考案を実施するための最良の形態】
【０００６】  本考案は上記目的を達成するために伸縮性に優れたナイロン・ポリウレタンの素材を用い踵のついていない筒状のサポーターである。即ち、開口の一端を直径４〜１０ｃｍ、もう一端を７〜１４ｃｍ、長さ３０〜９０ｃｍのサポーターとし、着用時は踝から３〜１５ｃｍ上部にかけて各々個人に合った心地よい範囲内に大腿にサポーターを引き上げフィットさせる。此れによって快適なサポーターとなり脚部の疲労を軽減する。サポーターを引き伸ばした時の長さは、個人の足の太さにより異なる。又、サポーターを着用した上に通常のパンティストッキングを着用する事により、より一層、抑制の効いたサポーターとなる。サポーターの色は白、肌色、茶色、黒とする。
【図面の簡単な説明】
【０００７】
【図１】サポーターを着用した正面図である。
【図２】サポーターを側面から見た図である。
【符号の説明】
【０００８】  １  サポーターを正面から見た図
２  サポーターの押えになる部分、幅２〜５ｃｍ
３  開口の一端折り込みなしとする、直径４〜１０ｃｍ
４  開口の一端、直径７〜１４ｃｍ
５  長さ３０〜９０ｃｍ
【図１】
0003115247.tif 000003
【図２】
0003115247.tif 000004
【手続補正書】
【提出日】平成17年8月8日(2005.8.8)
【手続補正１】
【補正対象書類名】実用新案登録請求の範囲
【補正対象項目名】全文
【補正方法】変更
【補正の内容】
【実用新案登録請求の範囲】
【請求項１】
下腿から大腿にかけて発生した静脈瘤を抑える下肢静脈瘤サポーターであり、伸縮性に優れた素材を利用した筒状の下肢静脈瘤サポーターであって、
収縮時のサイズは、上端側開口の直径が７〜１４ｃｍ、下端側開口の直径が４〜１０ｃｍ、長さが３０〜９０ｃｍであることを特徴とする下肢静脈瘤サポーター。
【請求項２】
前記下肢静脈瘤サポーターの上端側開口には、幅２〜５ｃｍのゴム部材で形成された折り込みがあることを特徴とする請求項１に記載の下肢静脈瘤サポーター。
【手続補正２】
【補正対象書類名】明細書
【補正対象項目名】全文
【補正方法】変更
【補正の内容】
【考案の詳細な説明】
【技術分野】
【０００１】
本考案は、下腿から大腿にかけて発生した静脈瘤を抑える下肢静脈瘤サポーターに関するものである。
【背景技術】
【０００２】
従来、下腿から大腿にかけて発生した静脈瘤を抑える下肢静脈瘤サポーターとして、パンティストッキング型、踵のついたストッキング型、又、部分的に圧迫する型の下肢静脈瘤サポーターが知られている（例えば、特許文献１参照。）。
【特許文献１】特開２００２−８８５１０号公報
【考案の開示】
【考案が解決しようとする課題】
【０００３】
しかしながら、パンティストッキング型の下肢静脈瘤サポーターでは、片足のみに発生の多い静脈瘤に対して、両足から腰に至るまで締め付けることになり、締め付けがきつく、長時間の着用に苦痛を伴うといった問題があった。また、踵のついたストッキング型の下肢静脈瘤サポーターでは、大腿に至る静脈瘤に対して抑制が困難であるといった問題があった。
【０００４】
本考案の目的とするところは、広範囲の静脈瘤に対し、長時間の着用にも苦痛が少なく快適で且つ抑えの効いた伸縮性に富む下肢静脈瘤サポーターを提供することにある。
【課題を解決するための手段】
【０００５】
上記の目的を達成するために、請求項１に記載の本考案は、下腿から大腿にかけて発生した静脈瘤を抑える下肢静脈瘤サポーターであり、伸縮性に優れた素材を利用した筒状の下肢静脈瘤サポーターであって、収縮時のサイズは、上端側開口の直径が７〜１４ｃｍ、下端側開口の直径が４〜１０ｃｍ、長さが３０〜９０ｃｍであることを特徴とする。
【０００６】
請求項２に記載の本考案は、請求項１に記載の、前記下肢静脈瘤サポーターの上端側開口には、幅２〜５ｃｍのゴム部材で形成された折り込みがあることを特徴とする。
【考案の効果】
【０００７】
以上のように、請求項１に記載の下肢静脈瘤サポーターは、伸縮性に優れた素材を利用した筒状の静脈瘤サポーターであって、収縮時のサイズは、上端側開口の直径が７〜１４ｃｍ、下端側開口の直径が４〜１０ｃｍ、長さが３０〜９０ｃｍであるので、下肢に装着することにより下腿から大腿迄を容易に包むことができ、そして、下肢に装着した下肢静脈瘤サポーターの素材の収縮作用により、下腿から大腿にかけて発生した静脈瘤を抑えることができる。また、収縮時のサイズは、前記のように、上端側開口の直径が７〜１４ｃｍ、下端側開口の直径が４〜１０ｃｍ、長さが３０〜９０ｃｍであるので、体格の大きい人から小さい人まで、下腿から大腿迄を確実に包むことができるとともに、各人の体格、即ち、下肢の長さや太さに応じて、前記上端側開口の直径：７〜１４ｃｍ、下端側開口の直径：４〜１０ｃｍ、長さ：３０〜９０ｃｍの内から各人の体格に応じた大きさのものを選択して着用することにより、長時間の着用にも苦痛が少なく快適であり、更には、下肢の疲れを軽減できる。
【０００８】
請求項２に記載の下肢静脈瘤サポーターは、前記下肢静脈瘤サポーターの上端側開口に、幅２〜５ｃｍのゴム部材で形成された折り込みがあるので、下肢静脈瘤サポーターを下肢に装着したとき、下肢静脈瘤サポーターの上端側開口に設けられた折り込みがゴム部材の収縮作用により大腿に密着するので、下肢に装着した下肢静脈瘤サポーターがずり下がることを防止することができる。
【考案を実施するための最良の形態】
【０００９】
以下、本考案を実施するための最良の形態の一例を図１、図２に基づいて詳細に説明する。
【００１０】
図１は本例の下肢静脈瘤サポーターを示す斜視図、図２は図１に示す下肢静脈瘤サポーターを脚に着用した状態を示す説明図である。
【００１１】
本例の下肢静脈瘤サポーター１は、伸縮性に優れた素材を利用して筒状に形成されている。前記伸縮性に優れた素材としては、ナイロン、ポリウレタンが用いられる。
【００１２】
前記筒状に形成された下肢静脈瘤サポーター１は、下腿から大腿迄を包むことができるようになっており、踵を包むようには構成されていない。前記筒状に形成された下肢静脈瘤サポーター１の収縮時のサイズは、上端側開口２の直径が７〜１４ｃｍ、下端側開口３の直径が４〜１０ｃｍ、長さが３０〜９０ｃｍとなっている。
【００１３】
また、本例では、前記下肢静脈瘤サポーター１の上端側開口２に、幅２〜５ｃｍのゴム部材で形成された折り込み４が設けられている。
【００１４】
上記のように構成された下肢静脈瘤サポーター１の使用にあっては、上端側開口２及び下端側開口３の直径が下肢の大腿及び下腿の太さより小さく、長さが下肢の大腿から下腿迄の長さより短いものを選択する。そして、この下肢静脈瘤サポーター１の上端側開口２から脚を挿入し、下肢静脈瘤サポーター１を大腿まで引き上げる。このとき、前記下肢静脈瘤サポーター１は、下肢の大腿及び下腿の太さに応じて半径方向に伸張するとともに、引き上げにより長さ方向に伸張し、下腿から大腿迄を包むように脚に装着される（図２参照）。
【００１５】
そして、前記のようにして下肢に装着された下肢静脈瘤サポーター１は、その素材の収縮作用により下肢にフィットし、収縮作用により下肢の下腿から大腿にかけて発生した静脈瘤を抑えられる。
【００１６】
前記下肢静脈瘤サポーター１によれば、収縮時のサイズが、上端側開口２の直径が７〜１４ｃｍ、下端側開口３の直径が４〜１０ｃｍ、長さが３０〜９０ｃｍであるので、体格の大きい人から小さい人まで、下腿から大腿迄を確実に包むことができるとともに、各人の体格、即ち、下肢の長さや太さに応じて、前記上端側開口２の直径：７〜１４ｃｍ、下端側開口３の直径：４〜１０ｃｍ、長さ：３０〜９０ｃｍの内から各人の体格に応じた大きさのものを選択して着用することにより、長時間の着用にも苦痛が少なく快適であり、更には、下肢の疲れを軽減できる。
【００１７】
また、前記下肢静脈瘤サポーター１は、上端側開口２に、幅２〜５ｃｍのゴム部材で形成された折り込み４が設けられているので、下肢静脈瘤サポーター１を下肢に装着したとき、折り込み４がゴム部材の収縮作用により大腿に密着するので、下肢に装着した下肢静脈瘤サポーター１がずり下がることを防止することができ、行動を妨げるものとはならない。
【００１８】
なお、前記下肢静脈瘤サポーター１を着用した上に、通常のパンティストッキングを着用してもよい。下肢静脈瘤サポーター１を着用した上にパンティストッキングを着用すると、パンティストッキングの収縮作用も加わって、下肢の下腿から大腿にかけて発生した静脈瘤を、より一層効果的に抑えることができる。
【００１９】
また、下肢静脈瘤サポーター１の色にあっては、白、肌色、茶色、黒とし、好みに応じて選択できるようにするとよい。
【図面の簡単な説明】
【００２０】
【図１】本考案に係る下肢静脈瘤サポーターの実施の形態の一例を示す斜視図である。
【図２】図１に示す下肢静脈瘤サポーターを脚に着用した状態を示す説明図である。
【符号の説明】
【００２１】
１  下肢静脈瘤サポーター
２  上端側開口
３  下端側開口
４  折り込み
【手続補正３】
【補正対象書類名】図面
【補正対象項目名】全図
【補正方法】変更
【補正の内容】
【図１】
0003115247.tif 000005
【図２】
0003115247.tif 000006